(57)【要約】【課題】シャッタ付のカメラをもつ携帯電話機等において、落下等により衝撃力が加わっても、シャッタが確実に閉じ動作を行って撮影できるようにする。【解決手段】ＣＣＤ２３の前方に配置されて光路を開閉する機械式のシャッタ２４、シャッタ２４を開閉駆動するモータ２５、モータ２５の駆動制御を行う制御手段３１等を備え、ＣＣＤ２３での電荷の蓄積開始からシャッタ２４の閉じ動作の完了により撮影を行うカメラ用シャッタにおいて、静止画の撮影毎に、シャッタ２４に閉じ動作を行わせる前に予め開き動作を行わせるべくモータ２５に対して開き通電を行うようにする。これにより、落下等により外部から衝撃力を受けてシャッタが勝手に閉じてしまっても、撮影前に必ずシャッタが開き状態となるため、確実に撮影を行うことができる。【選択図】  図３
2004177626.tif 000002
【特許請求の範囲】
【請求項１】
撮像素子の前方に配置されて光路を開閉する機械式のシャッタと、開き通電により前記シャッタに開き動作及び閉じ通電により前記シャッタに閉じ動作を行わせる電磁アクチュエータと、前記電磁アクチュエータの駆動制御を行う制御手段とを備え、
前記制御手段は、撮影毎に、前記シャッタに閉じ動作を行わせる前に予め開き動作を行わせるべく、前記電磁アクチュエータに対して開き通電を行う、
ことを特徴とするカメラ用シャッタ。
【請求項２】
前記制御手段は、レリーズ動作がなされたとき、前記電磁アクチュエータに対して開き通電を行ってから閉じ通電を行う、
ことを特徴とする請求項１記載のカメラ用シャッタ。
【請求項３】
撮像素子の前方に配置されて光路を開閉する機械式のシャッタと、開き通電により前記シャッタに開き動作及び閉じ通電により前記シャッタに閉じ動作を行わせる電磁アクチュエータと、前記電磁アクチュエータの駆動制御を行う制御手段とを備え、
前記制御手段は、撮影待機状態において、前記撮像素子に入射する光量が所定レベル以下となったとき、前記シャッタに閉じ動作を行わせる前に予め開き動作を行わせるべく、前記電磁アクチュエータに対して開き通電を行う、
ことを特徴とするカメラ用シャッタ。
【請求項４】
撮像素子の前方に配置されて光路を開閉する機械式のシャッタと、開き通電により前記シャッタに開き動作及び閉じ通電により前記シャッタに閉じ動作を行わせる電磁アクチュエータと、前記電磁アクチュエータの駆動制御を行う制御手段とを備え、
前記制御手段は、撮影待機状態において、衝撃力を検出する衝撃センサから信号が出力されたとき、前記シャッタに閉じ動作を行わせる前に予め開き動作を行わせるべく、前記電磁アクチュエータに対して開き通電を行う、
ことを特徴とするカメラ用シャッタ。
【発明の詳細な説明】
【０００１】
【発明の属する技術分野】
本発明は、撮像素子の前方に開閉自在に配置されて遮光を行うカメラ用シャッタに関し、特に、携帯電話機あるいは携帯型パーソナルコンピュータ等の携帯情報端末機に搭載されるカメラ用シャッタに関する。
【０００２】
【従来の技術】
ＣＣＤ（電荷結合素子）等の撮像素子を備えた従来のデジタルスチルカメラとしては、ＣＣＤの前方に配置されて光路を開閉する機械式のシャッタを備え、撮影の待機状態では、機械式のシャッタが開放状態に維持され、レリーズ動作により、図７に示すように、ＣＣＤが電荷の蓄積を開始し所定の露光時間が経過すると、モータ等の電磁アクチュエータが閉じ通電されて機械式のシャッタが光路を閉じるように制御されるものが知られている（例えば、特許文献１、特許文献２、特許文献３参照）。
【０００３】
【特許文献１】
特開平４−２８１６８４号公報
【特許文献２】
特開平６−７０２２４号公報
【特許文献３】
特開平１−３１０３２９号公報
【０００４】
【発明が解決しようとする課題】
ところで、上記従来のデジタルカメラにおける機械式のシャッタは、撮影前の待機状態においては、電磁アクチュエータの磁気的付勢力等により、光路を開いた状態に保持されている。
一方、このような機械式のシャッタが、例えば、携帯電話機、携帯型パーソナルコンピュータ等に搭載のモバイルカメラに適用された場合、一般のデジタルカメラに比べて使用頻度が高いことから、誤って落下あるいは他のものと衝突させたりして外部からの衝撃力等を受ける機会が多くなる。
したがって、撮影待機状態において、外部からこのような衝撃力等が加わると、開き状態に保持されていたシャッタがその衝撃力で勝手に閉じてしまい、撮影が行えないとう不都合を生じる場合がある。
【０００５】
本発明は、上記のような事情に鑑みてなされたものであり、その目的とするところは、携帯電話機、携帯型パーソナルコンピュータ等の携帯情報端末機に搭載されたモバイルカメラに対して機械式のシャッタを採用した場合に、撮影待機状態において落下あるいは衝突等により外部から衝撃力を受けた場合でも、機械式のシャッタが確実に閉じ動作を行って撮影が行えるカメラ用シャッタを提供することにある。
【０００６】
【課題を解決するための手段】
本発明のカメラ用シャッタは、撮像素子の前方に配置されて光路を開閉する機械式のシャッタと、開き通電によりシャッタに開き動作及び閉じ通電によりシャッタに閉じ動作を行わせる電磁アクチュエータと、電磁アクチュエータの駆動制御を行う制御手段とを備え、上記制御手段は、撮影毎に、シャッタに閉じ動作を行わせる前に予め開き動作を行わせるべく、電磁アクチュエータに対して開き通電を行う、ことを特徴としている。
この構成によれば、撮影待機状態から撮影を行う毎に、シャッタが開き状態又は閉じ状態のいずれの状態にあっても、必ず電磁アクチュエータが開き通電される（シャッタを単に位置決めするのではなく完全な開き動作を行わせるのに十分な通電がなされる）ため、シャッタは開き状態にあるときはそのまま開き状態に保持され又閉じ状態にある場合は開き動作を行う。したがって、携帯情報端末機等に適用された場合に外部からの衝撃力等で、開き状態に保持されていたシャッタが勝手に閉じてしまっても、撮影前に必ずシャッタが開き状態となるため、確実に撮影を行うことができる。特に、シャッタの状態を判別することなく必ず開き通電がなされるため、制御を簡略化できる。
【０００７】
上記構成において、制御手段は、レリーズ動作がなされたとき、電磁アクチュエータに対して開き通電を行ってから閉じ通電を行う、構成を採用できる。
この構成によれば、レリーズ動作を起点（トリガ）として、電磁アクチュエータに対して開き通電が行われるため、撮影の直前に少なくとも１回の制御を行うだけで必ずシャッタの開き動作が行われる。
【０００８】
また、本発明のカメラ用シャッタは、撮像素子の前方に配置されて光路を開閉する機械式のシャッタと、開き通電によりシャッタに開き動作及び閉じ通電によりシャッタに閉じ動作を行わせる電磁アクチュエータと、電磁アクチュエータの駆動制御を行う制御手段とを備え、上記制御手段は、撮影待機状態において、撮像素子に入射する光量が所定レベル以下となったとき、シャッタに閉じ動作を行わせる前に予め開き動作を行わせるべく、電磁アクチュエータに対して開き通電を行う、構成を採用できる。
この構成によれば、撮影待機の状態において、外部からの衝撃力等によりシャッタが（完全にあるいは部分的に）閉じると、光路が（完全にあるいは部分的に）遮られて撮像素子に入射する光量が所定レベル以下となるため、その光量の変化に関する情報に基づき、電磁アクチュエータに対して開き通電が行われ（シャッタを単に位置決めするのでは完全な開き動作を行わせるのに十分な通電がなされ）て、シャッタが開き動作を行う。すなわち、撮影待機状態でシャッタが閉じてしまったときだけ開き通電を行うため、消費電力を低減できる。
【０００９】
さらに、本発明のカメラ用シャッタは、撮像素子の前方に配置されて光路を開閉する機械式のシャッタと、開き通電によりシャッタに開き動作及び閉じ通電によりシャッタに閉じ動作を行わせる電磁アクチュエータと、電磁アクチュエータの駆動制御を行う制御手段とを備え、上記制御手段は、撮影待機状態において、衝撃力を検出する衝撃センサから信号が出力されたとき、シャッタに閉じ動作を行わせる前に予め開き動作を行わせるべく、電磁アクチュエータに対して開き通電を行う、構成を採用できる。
この構成によれば、撮影待機の状態において、落下あるいは他のものとの衝突等により衝撃センサから信号が出力されると、シャッタが（完全にあるいは部分的に）閉じてしまったものとみなし、電磁アクチュエータに対して開き通電が行われ（シャッタを単に位置決めするのでは完全な開き動作を行わせるのに十分な通電がなされ）て、シャッタが開き動作を行う。したがって、シャッタが必ず閉じてしまう衝撃力のレベルを予め求めて、衝撃センサから出力される信号が所定レベル以上のときに開き通電を行うようにするのが好ましい。
【００１０】
【発明の実施の形態】
以下、本発明の実施の形態について、添付図面を参照しつつ説明する。
図１は、本発明に係るカメラ用シャッタを適用する携帯情報端末機（携帯電話機）を示す外観図、図２はその構成及び制御回路を示すブロック図である。
【００１１】
この携帯電話機は、図１に示すように、本体１０の表面に種々の操作を行う操作釦１１及び種々の情報を表示するモニター１２が配置され、本体１０の上端に信号の送受信を行うアンテナ１３が伸縮自在に設けられ、本体１０の表面でモニター１２の近傍には撮影窓１４が設けられている。
また、本体１０の内部には、撮影窓１４の背後にカメラユニット２０が設けられ、他の領域には制御回路等を構成する種々の電子部品を実装した回路基板が配置されている。
【００１２】
カメラユニット２０は、図２に示すように、本体１０の内壁に固定されており、レンズ２１，２２、撮像素子としてのＣＣＤ（電荷結合素子）２３、レンズ２１とレンズ２２との間に配置され光路を開閉するシャッタ２４、シャッタ２４を開閉駆動する電磁アクチュエータとしてのムービングマグネット型のモータ２５等を備えている。
【００１３】
ここで、モータ２５は、シャッタ２４に連結される駆動ピン及び円柱状の永久磁石を有し所定の角度範囲を回動するロータ、励磁用のコイル、ロータの周りにおいて磁気回路を形成するヨーク等により形成されており、コイルへの開き通電によりロータがシャッタ２４に開き動作を行わせ、コイルへの閉じ通電によりロータがシャッタ２４に閉じ動作を行わせるようになっている。
また、非通電の状態においては、ロータは回動範囲の両端位置にてそれぞれ磁気的付勢力により保持されて、シャッタ２４を開き状態あるいは閉じ状態に保持するようになっている。
【００１４】
制御回路は、図２に示すように、種々の制御信号を発し全体の制御を司る制御手段としてのＣＰＵ等からなる制御部３１、ＣＣＤ２３に対する電力供給のオン／オフ等を行うＣＣＤ駆動回路３２、ＣＣＤ２３により撮影された画像信号を処理する画像信号処理回路３３、モータ２５への通電を制御するモータ駆動回路３４、種々の情報を記憶する記憶部３５、カメラユニット２０のメインスイッチ３６、カメラユニット２０のレリーズ動作を行うレリーズスイッチ３７、その他モニター１２の表示回路（不図示）、アンテナ１３を介しての信号の送信及び受信処理を行う送受信処理回路（不図示）等により形成されている。尚、メインスイッチ３６及びレリーズスイッチ３７は、本体１０の表面に配置された操作釦１１の一部として組み込まれている。
【００１５】
制御部３１は、種々の検出信号、操作による指令信号等に基づいて演算処理、判定処理等を行って、種々の制御信号を発するものである。例えば、制御部３１は、ＣＣＤ２３及び画像信号処理回路３３を通して得られた画像情報に基づいて、被写体からの反射光の光量レベルを判定し撮影に最適な露光時間を算出する。また、制御部３１は、操作者のレリーズ動作によりレリーズスイッチ３７がオンとされると、撮影毎に、モータ２５に対して閉じ通電を行う前に予め開き通電を行うようにモータ駆動回路３４に制御信号を発する。
【００１６】
メインスイッチ３６は、カメラユニット２０により動画の撮影を行えると同時に静止画の撮影待機状態とする場合及び動画の撮影を行えず又静止画の非撮影待機状態とする場合に、制御部３１及びＣＣＤ駆動回路３２を介して、ＣＣＤ２３に対する電力供給のオン／オフを行うものである。
【００１７】
メインスイッチ３６がオンの状態においては、モータ駆動回路３４がモータ２５に対して開き通電を行ってシャッタ２４を開き状態に位置付けた後、通電が断たれて磁気的付勢力によりシャッタ２４の開き状態が保持される。したがって、この開き状態においては、ＣＣＤ２３により動画撮影が可能である。
一方、メインスイッチ３６がオフの状態においては、モータ駆動回路３４がモータ２５に対して閉じ通電を行ってシャッタ２４を閉じ状態に位置付けた後、通電が断たれて磁気的付勢力によりシャッタ２４の閉じ状態が保持される。したがって、この閉じ状態においては、ＣＣＤ２３により撮影は不可である。
【００１８】
レリーズスイッチ３７は、メインスイッチ３６がオンの状態（静止画の撮影待機状態）において、被写体の静止画を撮影する際に操作するものである。例えば操作釦１１の一つのプッシュ操作（レリーズ動作）により、ＣＣＤ駆動回路３２を介して、ＣＣＤ２３が一旦オフとされ再びオンとされて初期化された後、電荷の蓄積を開始し所定時間（露出時間）経過後にオフとされる。
【００１９】
次に、携帯電話機において、カメラユニット２０で被写体を撮影する際の撮影動作及びシャッタの駆動方法について、図３のタイムチャートを参照しつつ説明する。先ず、カメラユニット２０のメインスイッチ３６がオンにされると、ＣＣＤ２３に電力が供給され、又、モータ駆動回路３４を介してモータ２５に対し開き通電が行われて、シャッタ２４が光路を開いた開き状態に位置付けられる。この状態においては、カメラユニット２０で動画の撮影を行うことができると同時に、静止画を撮影する際の撮影待機状態となる。
【００２０】
ここで、操作者がレリーズ動作を行ってレリーズスイッチ３７がオンになると、図３に示すように、先ず、モータ駆動回路３４を介して、モータ２５に対し開き通電（シャッタ２４を閉じ状態から開き状態に完全に移動させるに十分な通電）が行われる。
このとき、携帯電話機を落下させることなく又他のものと衝突させることなく、すなわち、本体１０が外部から何ら衝撃力を受けていない状態のときは、シャッタ２４は既に開き状態にあるためそのままの状態に保持される。
一方、携帯電話機を落下あるいは衝突させ本体１０が所定レベル以上の衝撃力を受けてシャッタ２４が勝手に閉じ状態に移動している場合は、シャッタ２４はモータ２５により本来の開き状態に位置付けられる。これにより、撮影可能な状態となる。
【００２１】
続いて、ＣＣＤ２３の画像信号に基づいて被写体の光量が測定されて、露光時間が算出される。そして、ＣＣＤ駆動回路３２を介してＣＣＤ２３が一旦オフとされた後に再びオンとされて電荷の蓄積を開始し、所定時間（露光時間）経過後に、図３に示すように、モータ駆動回路３４を介してモータ２５に対して閉じ通電が行われ、シャッタ２４は即座に閉じ動作を行う。これにより、静止画の撮影が完了する。
【００２２】
その後、ＣＣＤ２３に蓄積された画像信号は、画像信号処理回路３３を介して、記憶部３５に記憶される。そして、再びモータ駆動回路３４を介してモータ２５に対して開き通電が行われ、シャッタ２４は開き状態に位置付けられ、動画の撮影が可能になると同時に静止画の撮影待機状態となる。
【００２３】
以上のように、シャッタ２４が開き状態又は閉じ状態のいずれの状態にあるかに拘わらず、静止画の撮影を行う直前に、特にレリーズ動作がなされたときに、制御部３１はモータ２５に対して開き通電を行ってシャッタ２４を開き状態に位置付けようとするため、外部から衝撃力を受けてシャッタ２４が勝手に閉じてしまった場合等に、確実に撮影可能な状態に復帰させることができる。また、シャッタ２４の状態に拘わらず、撮影毎に必ず開き通電を行うため、制御を簡略化できる。
【００２４】
図４は、本発明に係るカメラ用シャッタの他の実施形態を示すタイムチャートである。この実施形態において、制御部３１は、ＣＣＤ２３及び画像信号処理回路３３を通して得られた画像情報に基づいて、被写体からの反射光の光量レベルを判定し、この光量レベルの判定結果に基づいて、カメラユニット２０が撮影待機の状態にあるにも拘わらず光量が所定レベル以下の場合、シャッタ２４が光路を完全にあるいは部分的に閉じた状態にあると判断して、モータ２５に対して開き通電を行うようにモータ駆動回路３４に制御信号を発する。
【００２５】
この実施形態における撮影動作及びシャッタの駆動方法について、図４のタイムチャートを参照しつつ説明する。先ず、カメラユニット２０のメインスイッチ３６がオンにされると、ＣＣＤ２３に電力が供給され、又、モータ駆動回路３４を介してモータ２５に対し開き通電が行われて、シャッタ２４が光路を開いた開き状態に位置付けられる。この状態においては、カメラユニット２０で動画の撮影を行うことができると同時に、静止画を撮影する際の撮影待機状態となる。
【００２６】
静止画の撮影待機状態において、携帯電話機を落下あるいは衝突させ本体１０が所定レベル以上の衝撃力を受けて、図４に示すように、シャッタ２４が勝手に閉じ状態に移動した場合は、制御部３１は、ＣＣＤ２３の画像信号（暗情報）により光量が所定レベル以下であると判定し（シャッタ２４が閉じていると判断し）、モータ駆動回路３４を介して、予めモータ２５に対し開き通電（シャッタ２４を閉じ状態から開き状態に完全に移動させるに十分な通電）を行う。これにより、シャッタ２４は本来の開き状態に位置付けられ、撮影可能な状態となる。
【００２７】
一方、携帯電話機を落下させることなく又他のものと衝突させることなく、すなわち、本体１０が外部から何ら衝撃力を受けていない状態のときは、シャッタ２４は既に開き状態にある。したがって、制御部３１は、何ら制御信号を発することなく、撮影待機状態を維持する。
【００２８】
そして、操作者がレリーズ動作を行ってレリーズスイッチ３７がオンになると、ＣＣＤ２３の画像信号に基づいて被写体の光量が測定されて、露光時間が算出される。そして、ＣＣＤ駆動回路３２を介してＣＣＤ２３が一旦オフとされた後に再びオンとされて電荷の蓄積を開始し、所定時間（露光時間）経過後に、図４に示すように、モータ駆動回路３４を介してモータ２５に対して閉じ通電が行われ、シャッタ２４は即座に閉じ動作を行う。これにより、静止画の撮影が完了する。
【００２９】
その後、ＣＣＤ２３に蓄積された画像信号は、画像信号処理回路３３を介して、記憶部３５に記憶される。そして、再びモータ駆動回路３４を介してモータ２５に対して開き通電が行われ、シャッタ２４は開き状態に位置付けられ、動画の撮影が可能になると同時に静止画の撮影待機状態となる。
【００３０】
以上のように、ＣＣＤ２３から得られる光量が所定レベル以下の場合にのみ、制御部３１はモータ２５に対して開き通電を行ってシャッタ２４を開き状態に位置付けるため、シャッタ２４が既に開き状態にある場合に無駄な制御動作を行わず、その分だけ消費電力等を低減できる。
【００３１】
図５及び図６は、本発明に係るカメラ用シャッタのさらに他の実施形態を適用する制御回路を示すブロック図及びタイムチャートであり、前述の実施形態と同一の構成については同一の符号を付してその説明を省略する。
この実施形態において、制御回路には、図５に示すように、本体１０に設けられた衝撃センサ３８、この衝撃センサ３８から出力される信号に基づき衝撃力を検出する衝撃検出回路３９が追加されている。
【００３２】
制御部３１は、カメラユニット２０が撮影待機の状態にあるとき、衝撃センサ３８及び衝撃検出回路３９から信号が出力されると、シャッタ２４が光路を完全にあるいは部分的に閉じた状態にあるとみなして、モータ２５に対して開き通電を行うようにモータ駆動回路３４に制御信号を発するようになっている。
【００３３】
衝撃センサ３８は、本体１０の内壁面に固定されて、本体１０を落下させた場合あるいは他のものに衝突させた場合に外部から受ける衝撃力に応じた信号を出力するものである。衝撃センサ３８としては、例えば、衝撃の際の加速度に応じた信号を出力する加速度センサ、又は、衝撃の際に直接受けた圧力に応じた信号を出力する圧電素子等を用いた圧力センサ等が適用される。
【００３４】
衝撃検出回路３９は、衝撃センサ３８の出力信号に基づいて衝撃力を検出し制御部３１に向けて検出信号を出力するものである。ここで、衝撃検出回路３９においては、衝撃力を受けた際にシャッタ２４が必ず開き状態から閉じ状態に移動してしまうその衝撃力のレベルを予め求めておき、衝撃センサ３８から出力される信号がこのレベル（所定レベル）以上のときに、制御部３１に信号を出力するようにし、この信号に基づいて、制御部３１がモータ２５に開き通電を行わせる制御信号を発するようにするのが好ましい。
【００３５】
この実施形態における撮影動作及びシャッタの駆動方法について、図６のタイムチャートを参照しつつ説明する。先ず、カメラユニット２０のメインスイッチ３６がオンにされると、ＣＣＤ２３に電力が供給され、又、モータ駆動回路３４を介してモータ２５に対し開き通電が行われて、シャッタ２４が光路を開いた開き状態に位置付けられる。この状態においては、カメラユニット２０で動画の撮影を行うことができると同時に、静止画を撮影する際の撮影待機状態となる。
【００３６】
静止画の撮影待機状態において、携帯電話機を落下あるいは衝突させ本体１０が所定レベル以上の衝撃力を受けた場合、衝撃センサ３８及び衝撃検出回路３９からの信号が出力される。そして、図６に示すように、制御部３１は、この検出信号に基づき、シャッタ２４が閉じているとみなし、モータ駆動回路３４を介して、予めモータ２５に対し開き通電（シャッタ２４を閉じ状態から開き状態に完全に移動させるに十分な通電）を行う。これにより、閉じ状態に移動していたシャッタ２４は本来の開き状態に位置付けられ、撮影可能な状態となる。
仮に、所定レベル以上の衝撃力を受けたにも拘わらず、シャッタ２４が開き状態にあった場合は、モータ２５に対して開き通電を行っても、シャッタ２４はそのまま開き状態に保持される。
【００３７】
一方、携帯電話機を落下させることなく又他のものと衝突させることなく、すなわち、本体１０が外部から何ら衝撃力を受けていない状態のときは、シャッタ２４は既に開き状態にあり、衝撃センサ３８及び衝撃検出回路３９からは何ら信号が出力されない。したがって、制御部３１は、何ら制御信号を発することなく、撮影待機状態を維持する。
【００３８】
そして、操作者がレリーズ動作を行ってレリーズスイッチ３７がオンになると、ＣＣＤ２３の画像信号に基づいて被写体の光量が測定されて、露光時間が算出される。そして、ＣＣＤ駆動回路３２を介してＣＣＤ２３が一旦オフとされた後に再びオンとされて電荷の蓄積を開始し、所定時間（露光時間）経過後に、図６に示すように、モータ駆動回路３４を介してモータ２５に対して閉じ通電が行われ、シャッタ２４は即座に閉じ動作を行う。これにより、静止画の撮影が完了する。
【００３９】
その後、ＣＣＤ２３に蓄積された画像信号は、画像信号処理回路３３を介して、記憶部３５に記憶される。そして、再びモータ駆動回路３４を介してモータ２５に対して開き通電が行われ、シャッタ２４は開き状態に位置付けられ、動画の撮影が可能になると同時に静止画の撮影待機状態となる。
【００４０】
以上のように、衝撃センサ３８から所定レベル以上の信号が出力されたときにのみ、制御部３１はモータモータ２５に対して開き通電を行ってシャッタ２４を開き状態に位置付けるため、シャッタ２４が閉じるような衝撃力を受けない場合は、無駄な制御動作を行わず、その分だけ消費電力等を低減できる。
【００４１】
上記実施形態においては、シャッタ２４の状態に拘わらず撮影毎に必ずモータ２５に対して開き通電を行う手法、ＣＣＤ２３から得られる光量の情報に基づいてモータ２５に対して開き通電を行う手法、さらに、衝撃センサ３８から出力された信号に基づいてモータ２５に対して開き通電を行う手法を、それぞれ別々に示したが、これに限定されるものではなく、いずれか二つの手法を兼ね備えた構成、あるいは、全ての手法を兼ね備えた構成を採用してもよい。
【００４２】
上記実施形態においては、カメラユニット２０として、二つのレンズ２１，２２とそれらの間に配置されたシャッタ２４とを備える単焦点レンズ光学系のものを示したが、これに限定されるものではなく、ズームレンズ光学系にシャッタを設けたカメラユニットに対して、本発明を適用してもよい。
【００４３】
上記実施形態においては、カメラユニット２０のシャッタ２４を駆動する電磁アクチュエータとして、ムービングマグネット型のモータ２５を示したが、これに限定されるものではなく、シャッタを開閉駆動するものであればその他の電磁アクチュエータを備えた構成において、本発明を適用してもよい。
上記実施形態においては、本発明を適用するカメラユニットを搭載する携帯情報端末機として、携帯電話機を示したが、これに限定されるものではなく、落下等により衝撃力を受けるものであれば携帯型パーソナルコンピュータ等その他のものであってもよい。
【００４４】
【発明の効果】
以上述べたように、本発明に係るカメラ用シャッタによれば、撮像素子の前方に配置されて光路を開閉する機械式のシャッタ、シャッタを開閉駆動する電磁アクチュエータを備えた構成において、シャッタに閉じ動作を行わせる前に予め開き動作を行わせるようにしたことにより、外部からの衝撃力等で開き状態に保持されていたシャッタが勝手に閉じてしまっても、撮影前に必ずシャッタが開き状態となるため、確実に撮影を行うことができる。
特に、シャッタの状態に拘わらず必ず開き通電を行う場合は、制御を簡略化できる。また、レリーズ動作がなされたときに開き通電を行う場合は、少なくとも１回の制御だけで撮影の直前に必ずシャッタを開き状態に位置付けることができる。さらに、撮像素子に入射する光量の情報（暗情報）に基づいて、あるいは、衝撃センサからの出力信号に基づいて開き通電を行う場合は、不要な制御動作を止めることで、消費電力等を低減できる。
【図面の簡単な説明】
【図１】本発明に係るカメラ用シャッタが適用される携帯電話機の外観を示す正面図である。
【図２】本発明に係るカメラ用シャッタを駆動するための制御回路を示すブロック図である。
【図３】本発明に係るカメラ用シャッタの駆動制御を示すタイムチャートである。
【図４】本発明に係るカメラ用シャッタの他の駆動制御を示すタイムチャートである。
【図５】本発明に係るカメラ用シャッタを駆動するための他の制御回路を示すブロック図である。
【図６】本発明に係るカメラ用シャッタのさらに他の駆動制御を示すタイムチャートである。
【図７】従来のカメラ用シャッタの駆動制御を示すタイムチャートである。
【符号の説明】
１０  携帯電話機の本体
１１  操作釦
１２  モニター
１３  アンテナ
１４  撮影窓
２０  カメラユニット
２１，２２  レンズ
２３  ＣＣＤ（撮像素子）
２４  シャッタ
２５  モータ（電磁アクチュエータ）
３１  制御部（制御手段）
３２  ＣＣＤ駆動回路
３３  画像信号処理回路
３４  モータ駆動回路
３５  記憶部
３６  メインスイッチ
３７  レリーズスイッチ
３８  衝撃センサ
３９  衝撃検出回路
【図１】
2004177626.tif 000003
【図２】
2004177626.tif 000004
【図３】
2004177626.tif 000005
【図４】
2004177626.tif 000006
【図５】
2004177626.tif 000007
【図６】
2004177626.tif 000008
【図７】
2004177626.tif 000009